Podtech/llm-jp-corpus-v4-ja_patent huggingface dataset:
(57)【要約】【課題】硬化時の収縮が大きい義爪材料として溶剤に溶けるＵＶジェル（ソークオフジェル）の欠点を改善し、ジェルそのものの強度を持たせイクステンションを可能とすることを目的とする。【解決手段】義爪材料として溶剤に溶けるＵＶジェルに、アクリル樹脂ポリマーを粉砕してなるフィラーを混合したことで義爪の長さを出すことができる義爪用ＵＶジェル。【選択図】なし【特許請求の範囲】
【請求項１】
義爪材料として溶剤に溶けるＵＶジェルに、アクリル樹脂ポリマーを粉砕してなるフィラーを混合したことで義爪の長さを出すことができる事を特徴とする義爪用ＵＶジェル。
【発明の詳細な説明】
【技術分野】
【０００１】
この発明は、義爪の材料として用いられるＵＶ硬化型のＵＶジェルに関するもので、更に詳しくは、爪の長さを伸ばすイクステンション用途に使えると共に溶剤に溶けて使用後の後処理が簡単な義爪用ＵＶジェルに関するものである。
【背景技術】
【０００２】
義爪や人工爪は、従来より、ネイルチップという爪の形をした所謂つけ爪を直接自爪に貼り付ける方法や、常温重合性を有する粉液を用いて硬化させるスカルプチュアという方法がある（例えば、特許文献１参照）。
【０００３】
従来のスカルプチュアによる常温重合レジンによる義爪材料は、最近ではジェルネイルと称される、より手軽に扱えるＵＶ照射により硬化するＵＶジェルが主流となって来た。しかし爪の長さを出せるだけの強度を有する常温重合レジンに匹敵するＵＶジェルは、アクリルオリゴマーを主成分とするハードジェルと呼ばれる材料であるが、その強度ゆえ、溶剤に溶けず自爪からの取り外しが非常に難しく、爪やすり等で削り落し取り外すのが通常行われる方法である。
【０００４】
そこで最近では、同じくアクリルオリゴマーを主原料とするが、その配合比率を変えて、溶解性のモノマーを添加して柔らかで、溶剤に溶けるように処方したＵＶジェルが主流となって来た。このジェルをハードジェルに対してソフトジェル、また溶剤に溶けることからソークオフジェルと呼ぶ。
【先行技術文献】
【特許文献】
【０００５】
【特許文献１】特開２００９−５６０７７号公報（段落２〜段落７）
【発明の概要】
【発明が解決しようとする課題】
【０００６】
しかし、前述のソークオフジェルは、その柔らかさゆえ爪の長さを出すイクステンションが不可能なため、自爪の表面にコーティングするだけの施術にとどまり、爪を伸ばすという本来の義爪の役目を果たすことができていない。
【０００７】
そこで、本発明は、硬化時の収縮が大きいＵＶジェルの欠点を改善し、ジェルそのものの強度を持たせイクステンションを可能とすることを目的としたものである。
【課題を解決するための手段】
【０００８】
上記のような課題を解決するため、本発明では、ソークオフジェルの処方をベースにフィラー（加工を施したアクリル樹脂の粉）を混合することにより、常温重合レジンに匹敵する強度のソークオフジェルを完成させた。
【０００９】
即ち、本発明は、義爪材料として溶剤に溶けるＵＶジェルに、アクリル樹脂ポリマーを粉砕してなるフィラーを混合したことで義爪の長さを出すことができる事を特徴とする義爪用ＵＶジェルである。
【００１０】
本発明で用いるフィラー（アクリル樹脂ポリマー）はもともとアクリル樹脂のモノマー（液体）を硬化させ粉砕したもので、液体が硬化する際にすでに収縮が完了しており、本来収縮率の大きなジェルに収縮済みのフィラーを混合することにより、未収縮のジェルの混合比率が少なくなることから全体的な収縮率を押さえることができる。
【００１１】
またフィラーは歯科材料でも歯の充填剤や歯冠材料である硬質レジンの耐摩耗性を向上させるために混合される考え方であり、フィラーを含有することにより、義爪用ＵＶジェルの硬度も上げることができる。ただし、本発明でいうフィラーとは歯科で使用するフィラーとは全く異なる材料である。
【００１２】
なお、アクリル樹脂ポリマーの粉砕方法としては、特に限定されず、既知の種々の粉砕方法が使用できるが、ジルコニア球等の硬質球と共に、ポットミル等に入れて、長時間（数時間〜数十時間）粉砕混合するのが好ましい。
【００１３】
フィラーの、基材となるＵＶジェルへの混合割合は特に限定しないが、質量ベースでフィラー：ジェル＝２：１程度が好ましく、フィラー：ジェルを４：１〜１：１の範囲で適宜調整すればよい。
【発明の効果】
【００１４】
この発明の義爪用ＵＶジェルによると、粉砕されたアクリル製ポリマーの添加により、全体の硬度が上昇し、硬化時の収縮が大きいＵＶジェル（ソークオフジェル）の欠点を改善し、硬化時の収縮率が低下し、また、フィラーにより硬度も上昇し、爪の長さを出すイクステンションが可能となると共に、ソークオフジェルの特徴として使用後に溶剤によって溶かして除去することができる。
【００１５】
また粉砕加工により滑らかなになったフィラーは、ジェルとの混合密度を大きくすることができ、爪に塗布する際も、ジェルの流動性を助けて塗布しやすくなると共に自爪表面との接着力を上げると同時に気泡の混入を防ぐ効果がある。
【００１６】
更に、フィラー混合密度をより高めることで、本来のジェルの収縮率を下げる効果がより高まる。
【発明を実施するための形態】
【００１７】
以下、この発明の実施形態を説明する。
まずソークオフジェルの原料については、基材として、Polyurethane Acrylate Oligomer（ポリウレタンアクリレート  オリゴマー）を用い、これに対し、接着性と溶剤による溶解性の向上のために、2-Hydroxyethyl Methacrylate（通称HEMA＝2-ヒドロキシエチルメタクリレート）を添加し、また、接着性と溶剤による溶解性の向上のために、Hydroxypropyl Methacrylate（ヒドロキシプロピルメタクリレート）と、希釈剤として、Isobornyl Methacrylate（イソボルニルメタクリレート）を添加し、更に、  重合開始剤として、Hydroxycyclohexyl ketone（ヒドロキシシクロヘキシル  ケトン）を混合して、ソークオフジェルのベースを作る。
【００１８】
次に、市販のアクリル樹脂ポリマーを、ジルコニア球の入ったポットミルにて５０時間挽く。市販のアクリル樹脂ポリマーは、そのままでは粒子の形状が不ぞろいであり、また、その表面がなめらかでは無いため、硬質球と共に混合して細かく粉砕することにより、粒子はさらに細かく、表面の滑らかなものとなったフィラーが得られる。
【００１９】
上記加工を施したフィラー＝ＰＥＭＡ（アクリル酸エチル樹脂のパウダー）を、先に得たソークオフジェルに添加して義爪用ＵＶジェルを完成させる。割合は、重量比でＰＥＭＡ：ソークオフジェルを２：１とした。
【００２０】
加工により滑らかなになったフィラーは、ジェルと混合するさい混合密度を大きくすることができ、爪に塗布する際も、ジェルの流動性を助ける働きがある。また、混合密度の大きさは収縮率に大きく関係し、混合密度が高まるほど収縮率は低下し、更に流動性は、自爪表面との接着力を上げると同時に気泡の混入を防ぐ効果もある。
(57)【要約】【課題】  本発明は、バット等の調理器体の要部に着色部材を設置することによって、収容する食材の種類や内容を、着色部材によって調理人が予め承知しておき、調理台を囲んでの食材の取扱いを円滑かつ確実に行うことができるようにすることを目的とする。【解決手段】  器体１の左右両外側部に適当間隔をおいて設けた取付孔部２，２に、末端部を嵌挿した曲折把柄杆３，３の左右両側部の対角線上に色付きの識別管材６，６を設け、この識別管材が互いに反対方向から見えるようにして成るものである。また、器体の左右両外側部に適当間隔をおいて設けた取付孔部に、末端部を嵌挿した曲折把柄杆の左右両側部の垂直部５，５に色付きの識別管材を設け、この識別管材がいずれの方向からも見えるようにして成るものである。【選択図】    図３
2013183770.tif 000002
【特許請求の範囲】
【請求項１】
器体の左右両外側部に適当間隔をおいて設けた取付孔部に、末端部を嵌挿した曲折把柄杆の左右両側部の対角線上に色付きの識別管材を設け、この識別管材が互いに反対方向から見えるようにして成ることを特徴とする調理器。
【請求項２】
器体の左右両外側部に適当間隔をおいて設けた取付孔部に、末端部を嵌挿した曲折把柄杆の左右両側部の垂直部に色付きの識別管材を設け、この識別管材がいずれの方向からも見えるようにして成ることを特徴とする調理器。
【発明の詳細な説明】
【技術分野】
【０００１】
本発明は、主として厨房で使用する食材用バット(ｖａｔ）を含む調理器に関するものである。
【背景技術】
【０００２】
業務用の厨房は、広い面積の調理台上に多くのバットを置きその中に各種の食材を収容し、調理台の周辺を複数の調理人が往来して食材を選んで調理に従事するところ、必要な食材がどのバットに収容されているかについては調理台から離れていると分別が困難であるという問題があったし、また牛肉，豚肉，鶏肉，魚肉などの動物性食材と野菜，果実などの植物性食材とを区別することなく、同一のバットに収容して調理台に並べておくことが習慣となっているため、食中毒の原因となることもあった。
【０００３】
そこで、従来、刊行物公知のものとしては、次のような部分的に色分けしたバットが存在していたが、目的は異なるものであった。
【先行技術文献】
【特許文献】
【０００４】
【特許文献１】特開２００３−３３９５５８号公報
【特許文献２】意匠登録第１１３００６８号公報
【発明の概要】
【発明が解決しようとする課題】
【０００５】
そこで、本発明は、バット等の調理器体の要部に着色部材を設置することによって、収容する食材の種類や内容を、着色部材によって調理人が予め承知しておき、調理台を囲んでの食材の取扱いを円滑かつ確実に行うことができるようにすることを目的とするものである。
【課題を解決するための手段】
【０００６】
本発明は、器体の左右両外側部に適当間隔をおいて設けた取付孔部に，末端部を嵌挿した曲折把柄杆の左右両側部の対角線上に色付きの識別管材を設け、この識別管材の取付け位置が互いに反対方向から見えるようにするものである。
【０００７】
また、この識別管材は前記曲折把柄杆の左右両側部のいずれの位置にも設けられ、どの方向からでも見えるようにするものである。
【発明の効果】
【０００８】
本発明は、以上のような構成から成る調理器具であるため、調理人は調理台から離れていても各器体の左右両側部に取付けられている把柄杆の垂直部の識別管材を見て、どこに何の食材が収容されているかを直に判別することができ、直接又は間接的に器体から食材を確実に取り寄せることができるようになり、その利便性から迅速かつ円滑に調理することができる。
【０００９】
また、色分けした識別管材を付設した器体内に収容される食材は、調理人間で予め定めた色彩によって常に一定しているから、衛生上常に安全な食材を調理して提供することができるようになる。
【図面の簡単な説明】
【００１０】
【図１】全体の左方向からの斜視図
【図２】全体の右方向からの斜視図
【図３】全体の使用時の斜視図
【発明を実施するための形態】
【００１１】
いま調理台上に用意した多くの各器体内部に、その把柄杆の垂直部に設置した識別管材の色彩を見て、それぞれ異なる食材の収容状況を知ることになるから、調理人は調理台の周辺にいる仲間に対して色彩名を呼びかけ合うことによって、仲間はそれに即反応して当該食材入りの器体をその調理人に対して回すようにするのである。
【００１２】
調理人は、調理台上の器体をいずれの位置方向からも見て、器体内部の食材を識別判断することができるのである。
【実施例】
【００１３】
１は任意大きさに成る器体で、この器体の高さも任意である。
【００１４】
２，２は前記器体１の左右両外側部に適当間隔をおいて設けた取付孔部で、この取付孔部には曲折把柄杆３，３の各末端部が挿入し、水平および垂直方向に回動し得るように成る。
【００１５】
前記曲折把柄杆３，３は水平，垂直及び水平に曲折構成しているが、その両上方曲折部には凸状部４，４を形成し、把柄杆の上方水平時にこの凸状部が器体１の上側端部に載置するようになる。
【００１６】
５，５は前記曲折把柄杆３，３の左右垂直部で、この垂直部の各対称位置にそれぞれ多数の色彩から選定した１つの色彩から成る識別管材６，６を嵌着する。
【００１７】
一つの器体の曲折把柄杆における対角線上の対称の垂直部５，５に嵌着する識別管材の色彩は同一色であるが、４か所の垂直部全部において同一色の識別管材を嵌着するようにしてもよい。
【符号の説明】
【００１８】
１                    器体
２，２                取付孔部
３，３                曲折把柄杆
４，４                凸状部
５，５                左右垂直部
６，６                識別管材
【図１】
2013183770.tif 000003
【図２】
2013183770.tif 000004
【図３】
2013183770.tif 000005
(57)【要約】【課題】雨がやんだ後，傘をたたんでバスや電車を待つ際，手提げなどの荷物が重くとても邪魔になり，苦痛があるが，傘を杖状に地面に立てて柄の部分に手提げを掛けることが出来る、傘の柄に取り付けられる手提げかけを提供する。【解決手段】杖状に立てた傘の柄（６）に，手のひらと接する部分にくぼみ（２）を設け、先端にマジックテープ（商標登録）のついた布で巻きつけて，傘に手提げなどの荷物をかけられることを特徴とする。【選択図】図４
2013183846.tif 000002
【特許請求の範囲】
【請求項１】
中央にくぼみ（２）を設けた枕状のもの（１）の両端にそれぞれ布（３）を設け、一方の布の先端にマジックテープ（商標登録）凸部（４）を設け、他方の布の先端にマジックテープ（商標登録）の凹部（５）を設けた、傘の柄に取り付けられる手提げかけ。
【発明の詳細な説明】
【技術分野】
【０００１】
本発明は，雨が降っている時に傘をさし，雨がやんだら傘をたたみ杖状にしてバスや電車を待つ時に，柄の中間位置にくぼみを設け，女性の手提げを掛けておくことが出来る手提げかけに関する。
【背景技術】
【０００２】
雨降りに使用する傘は使用しない時に杖状に立てている。
一方バスや電車を待つときに手提げなどの荷物の重さが大きな精神的苦痛と成っていた。
【先行技術文献】
【特許文献】
【０００３】
【特許文献１】特開２００７−０６１５６０広報ＤＢ
【発明の概要】
【発明が解決しようとする課題】
【０００４】
雨がやんでから，傘をたたんでバス・電車を待つ際，手提げなどの荷物が重く苦痛を感じる。
従来傘の柄は丸く、これに荷物をぶら下げることは出来ない。
これらの課題を解決する必要がある。
【課題を解決するための手段】
【０００５】
課題を解決するために本発明は，以下の構成とした。
中央にくぼみ（２）を設けた枕状のもの（１）の両端にそれぞれ布を設け、一方の布の先端にマジックテープ（商標登録）の凸部（４）、他方の布の先端にマジックテープ（商標登録）凹部を設ける。
杖状に立てた傘の柄（６）に，枕状のもの（１）を乗せ、布の先端のマジックテープ（商標登録）を貼りあわせることにより（１）を傘に固定させる。
そのくぼみ（２）に手提げをかけて自分に正味かかってくる力を，傘に分散させれば、少し楽に行動することが出来る。
【発明の効果】
【０００６】
本発明は，以下の効果を有する。
（１）傘の柄に取り付けられる手提げかけが独立しているので、必要に応じて自由に他の傘に取り付け，取り外しができる。
（２）傘の柄に取り付けられる手提げかけを使用することにより，バス・電車などを待つ時間荷物の殆どの重力が傘にかかるため楽である。
【図面の簡単な説明】
【０００７】
【図１】本発明の取り付け後の斜視図
【図２】本発明平面図
【図３】本発明側面図
【図４】本発明取り付け後の使用図
【発明を実施するための形態】
【０００８】
以下本発明の実施形態について説明する。
杖状に立てた傘の柄（６）に，手のひらと接する部分にくぼみ（２）を設けた，傘の柄に取り付けられる手提げかけを乗せ、先端にマジックテープ（商標登録）のついた布（３）を傘の柄に巻きつけて，テープ凹部（５）にテープ凸部（４）を重ねて貼りあわせ，くぼみ（２）に手提げをかけられるようにした。
【符号の説明】
【０００９】
（１）枕状のもの          
（２）くぼみ
（３）布  
（４）マジックテ−プ（商標登録）凸部
（５）マジックテープ（商標登録）凹部
（６）傘の柄
【図１】
2013183846.tif 000003
【図２】
2013183846.tif 000004
【図３】
2013183846.tif 000005
【図４】
2013183846.tif 000006
(57)【要約】【課題】歯磨きチューブの転倒を防止でき、洗面所廻り等の歯磨きチューブが自然に整理整頓でき、尚且つ歯磨きチューブの着脱が容易に行える歯磨きチューブ用ホルダーを提供する。【解決手段】歯磨きチューブの後縁部を支持し、吐出口を下向きに保持することで歯磨きチューブの転倒防止が可能、そのため見かけ上、整理整頓もでき、且つ容易に歯磨きチューブが着脱可能な歯磨きチューブ用ホルダーを提供する。【選択図】図５
2013183883.tif 000002
【特許請求の範囲】
【請求項１】
歯磨きチューブの吐出口を下向きにし、チューブ後縁部で宙吊り状態を保持するための支持部を具備し、チューブの着脱が容易になる様、その支持部が櫛歯形状或いは溝そのものがクリップ状態になっている事が特徴な歯磨きチューブホルダー。
【発明の詳細な説明】
【技術分野】
【０００１】
本発明は、歯磨きチューブホルダーに関し、具体的には、歯磨きチューブの吐出口を下向きにして吊り下げることで、歯磨きチューブを置く際の転倒を防止し、整理整頓も兼ねることに関する。
【背景技術】
【０００２】
従来、練り歯磨きが充填されたチューブを保管する場合、使用時に練り歯磨きの絞り出しを容易にするために、チューブの吐出口を下方に向けた状態で保管することが行われている。昨今、歯磨きチューブのキャップ自体が、吐出口を下面にして、歯磨きチューブを倒立状態で置ける様、設置面が大きくしてある物が大半である。しかしながらこのキャップの形状だけでは、歯磨きチューブが容易に転倒し、周りのチューブ類も一緒に倒れて散乱する不具合がある。
【先行技術文献】
【特許文献】
【０００３】
【特許文献１】特開平９−２３８８１８
【特許文献２】特許公開２０１１−１１５２５４
【発明の概要】
【発明が解決しようとする課題】
【０００４】
特許文献１のチューブホルダーは、5の軸間ピッチが固定されており、子供用チューブの様に小さなサイズの場合にすり抜けてしまう不具合も考えられる。更に、倒立状態に置いたチューブ本体の下部が壁側に当たる可能性もあり、チューブ吐出し口から出た薬剤ペーストが壁を汚してしまう問題も考えられる。
特許文献２では、チューブ内に注入された粘性の高い歯磨きペーストを吐出し口まで自然落下させるには、歯磨きチューブを倒立状態に置いても時間のかかる作用であり、それを傾斜台に置いても時間は延長されるものと考えられる。更に、使用する際は、本ホルダーにチューブを搭載したまま使用する。とあるが、手作業でもチューブのペーストを押し出すには、指先へ非常に繊細な神経を必要とされる作業である為、チューブをホルダーに搭載したままでの作業は非常に熟練が必要であると考えられる。尚且つ、チューブのキャップを外したままの状態で次回使用されるまで、吐出し口は空気に触れてることで、ペースト状の薬剤が硬化する事や、衛生面の低下が懸念される。
【課題を解決するための手段】
【０００５】
本発明によれば、チューブの吐出し口とは逆側の後縁部に、市販のペーパークリップ及びこれに相当する器具を取り付け、支持部の溝にチューブ後縁部を挿入することで、チューブ本体を宙吊り状態で維持でき、転倒することを防止できる。更に左右への揺れのみが自由である為、壁への汚れの心配もない。使用時はチューブを引出し、従来の方法で使用できる。
【発明の効果】
【０００６】
本発明に係る歯磨きチューブ用ホルダーは、図５と図６に示す通り、チューブ後縁部を宙吊りにする為だけの至って簡単な構造である為、チューブが転倒する状態は皆無となる。更にチューブ本体のホルダーへの着脱も円滑であり、見かけ上、チューブが整理整頓されているのも一目で分かる。チューブ使用時のチューブ内の薬剤の吐出しも従来と全く同じ手順（手作業）である為、熟練の必要性も全くなく作業が行える。
【図面の簡単な説明】
【０００７】
【図１】ホルダー外観図
【図２】ホルダー三面図
【図３】クリップとチューブの結合図
【図４】図３の完成品をホルダーへ搭載する要領図
【図５】図３の完成品をホルダーへ搭載した図
【図６】図５のチューブの引掛り部の断面図
【発明を実施するための形態】
【０００８】
以下、添付図面を参照しながら本発明の実施例について詳細に説明する。
【実施例】
【０００９】
図１は、ホルダー外観を示し、ホルダー各部位の名称を説明している。図２は三角法にてホルダー全体を示した図であり、正確な構造を表している。図３は、市販のペーパークリップ５を６のチューブ本体に取り付ける様子を示したものであり、クリップとチューブ本体を総合して７と置き替えている。図４は、ホルダーの櫛歯溝付き上板１の溝へクリップとチューブの７を搭載する様子を示している。図５は、ホルダー全体８の櫛歯溝に、７が搭載完了した状態を示している。図６は、１に７が挿入された様子を断面図として示している。チューブ本体６がクリップ５に把握された状態で、１の櫛歯溝付き上板の溝部に挿入され、クリップの下部が櫛歯の溝上部にて引掛り、チューブの落下を抑えている。１と６との間には隙間があり、チューブの着脱は容易に行える。
【産業上の利用可能性】
【００１０】
以上、説明したように、本発明によると、歯磨きチューブの転倒防止及び、整理整頓更に、使用時の着脱性が容易な歯磨き用チューブホルダーとして利用できる。
【符号の説明】
【００１１】
１  櫛歯溝付き上板
２  両側面フランジ
３  背板
４  小フランジ
５  ペーパークリップ
６  チューブ本体
７  ５と６の結合状態
８  ホルダー本体
ａ  ホルダー正面図
ｂ  ホルダー上面図
ｃ  ホルダー側面図
【図１】
2013183883.tif 000003
【図２】
2013183883.tif 000004
【図３】
2013183883.tif 000005
【図４】
2013183883.tif 000006
【図５】
2013183883.tif 000007
【図６】
2013183883.tif 000008
(57)【要約】【課題】育毛有効成分が逃げやすかった為、本来の効果効能が出にくかった。【解決手段】ヒアルロン酸を含有していることを特徴とする育毛剤。【特許請求の範囲】
【請求項１】
ヒアルロン酸を含有していることを特徴とする育毛剤。
【発明の詳細な説明】
【技術分野】
【０００１】本発明は、持続する育毛剤に関する。
【背景技術】
【０００２】従来の育毛剤は、毛穴から有効成分が漏れてしまう。毛穴が小さく浅い為、垂れ流れてしまう。
【発明の概要】
【発明が解決しようとする課題】
【０００３】しかしながら、以上の技術によれば、育毛有効成分が逃げやすかった為、本来の効果効能が出にくかった。
そこで、本発明は、ヒアルロン酸が強粘着膜を形成し育毛有効成分を逃げにくくする、育毛剤を提供することを課題とする。
【課題を解決するための手段】
【０００４】以上の課題を解決するために、本発明は、ヒアルロン酸を含有していることを特徴とする育毛剤。
【発明の効果】
【０００５】本発明によれば、ヒアルロン酸が強粘着膜を形成し育毛有効成分を逃げにくくすることを設けたので、育毛剤の効果が出やすい。
【発明を実施するための形態】
【０００６】毛穴の形状が小さく浅い為、ヒアルロン酸の強粘着が有効である。
【実施例】
【０００７】この実施形態によれば、ヒアルロン酸が膜を形成し育毛有効成分を逃げにくくする。
(57)【要約】【課題】  全延長に亘って雨水流入口を一定間隔にあけた頂版と側壁を一体構造とした門型構造であり、従って蓋掛けによるガタツキ騒音を解消した、自由勾配側溝を提供する。【解決手段】  インバートコンクリート（２）を排水勾配に合せて打設したのち、側壁底面（１１）に設けたインサートナット（１２）に上下調整ネジ（８）をねじ込み路面勾配の高さに適合させた門型側溝本体（１）をインバートコンクリート（２）上に載置して調整コンクリート（１０）を打設して自由勾配側溝を構築する。【選択図】図１
2013221390.tif 000002
【特許請求の範囲】
【請求項１】
門型側溝本体（１）よりも先にインバートコンクリート（２）を排水勾配に合うように打設し、プレキャストコンクリート製の門型側溝本体（１）の側壁底面（１１）に設けられたインサートナット（１２）に、上下調整ネジ（８）を路面勾配に適合する高さに、ねじ込んでインバートコンクリート（２）上に載置し、側壁底面（１１）との隙間を塞ぐように側壁内側面（６ｂ）に添うように側板（７）を設け、側壁外側面（６ａ）より外側に隙間を開けて型枠を設けて、調整コンクリート（１０）を打設することを特徴とする自由勾配側溝。
【請求項２】
請求項１に記載の、インバートコンクリート（２）と側壁底面（１１）との隙間を、上下調整ネジ（８）で保持することを特徴とする自由勾配側溝。
【請求項３】
請求項１に記載の、調整コンクリート（１０）を側壁外側面（６ａ）を挟み込むように、側壁底面（１１）より上まで打設し、門型側溝本体（１）のずれ止めとすることを特徴とする自由勾配側溝。
【発明の詳細な説明】
【技術分野】
【０００１】  本発明は、路面の雨水などを排水するプレキャストコンクリート製の門型側溝に係わり、路面勾配にもかかわらず排水勾配を自由に形成できるようにした、自由勾配側溝を構築する工法に関するものである。
【背景技術】
【０００２】  従来、道路勾配が殆んどない所や逆勾配に水路勾配を形成する個所に使用されている自由勾配側溝は下部を開放し、その上面の中央に開口部を設けた門型側溝本体を基礎の上に据付け、上面開口部から開放底部にインバートコンクリートを打設して自在な水路勾配を形成するものであるが、路面の一部分となる上面開口部には蓋掛けを行うためガタツキ騒音の発生があり、また限定された上面の開口部よりのインバートコンクリートの打設作業となるため、作業能率及び施工性でも難点がある。【０００３】  また、インバートとしてプレキャストフレームを水路勾配に合せて設置し、フレーム上に設置する門型側溝本体の高さに対応した調整コンクリートを打設して、コンクリートの硬化を持って門型側溝本体を載置して自由勾配を自由勾配側溝を形成するものであるが、作業工程が多く労力と時間が掛っている。【０００４】
【特許文献１】特開２０００−２７２７７公報
【発明の開示】
【発明が解決しようとする課題】
【０００５】  解決しようとする問題点は、路面の一部分となる側溝上面にインバートコンクリート打設用の開口部を設けて蓋掛けを行っているのが、ガタツキ騒音及び通行走行性等の問題がある。【０００６】  また、限定された上面開口部よりのインバートコンクリートの打設作業となるため、作業能率及び施工性でも難点があり、これらを解決しようとすることを課題としている。
【課題を解決するための手段】
【０００７】  本発明は、先行して基礎砕石上にインバートコンクリートを排水勾配に打設し、頂版に雨水流入口を一定間隔にあけて側壁と連結した状態に一体構造にしたプレキャストコンクリート製の門型側溝本体を、側壁底面に設けたインサートナットに上下調整ネジをねじ込み路面勾配の高さに合せてインバートコンクリート上に載置し、調整コンクリートを打設して自由勾配側溝を構築するものである。
【発明の効果】
【０００８】  本発明は、上面が固定し、交通によるガタツキ騒音が生じない。【０００９】  全延長に亘って頂版に排水機能を有し、路面排水が円滑に浸流され、車両走行による水はね問題が解消される利点がある。
【発明を実施するための最良の形態】
【００１０】  本発明の実施の形態を各図に基いて説明する。図１は施工状態の基本的な態様を示した斜視図であり、門型側溝本体１の設置に先行して基礎砕石３の上に、水路勾配に合せてインバートコンクリート２を打設する。【００１１】  図３に示すとおり側壁底面１１に埋設されたインサートナット１２に上下調整ネジ８を門型側溝本体１に適合する高さにねじ込むとともに、図４に示すよう側板固定金具９が取付けられた側板７を側壁内側６ｂに添わし、側板固定金具９に取付けられた溶接ナット１３にボルト１４をねじ込んで側壁外側面６ａに挟み込んで側板７を仮止めした状態で門型側溝本体１に組み込む。【００１２】  この様に、上下調整ネジ８および、側板７が組み込まれた門型側溝本体１を、先行して施工されたインバートコンクリート２の上に上下調整ネジ８にて保持された状態で載置し、門型側溝本体１の適合高を更に調整する場合は、上下調整ネジ８を回動してねじ込み高を調整する。【００１３】  次に、仮止めされた側板７で側壁底面１１とインバートコンクリート２との隙間を塞いでボルト１４を締め込んで固定する。【００１４】  この様に、門型側溝本体１が載置された状態で図２に示すように、調整コンクリート１０を打設して側溝全体を形成する。
【図面の簡単な説明】
【００１５】
【図１】門型側溝の実施例を示す斜視図である。
【図２】図１のＡ−Ａ線にそった断面図である。
【図３】図１の実施例における上下調整ネジの使用状況の拡大断面図である。
【図４】図１の実施例における側板固定金具の使用状況の拡大図面である。
【図５】側板の斜視図である。
【符号の説明】
【００１６】１    門型側溝本体
２    インバートコンクリート
３    基礎砕石
４    頂版
５    雨水流入口
６    側壁
６ａ  側壁外側面
６ｂ  側壁内側面
７    側板
８    上下調整ネジ
９    側板固定金具
１０  調整コンクリート
１１  側壁底面
１２  インサートナット
１３  溶接ナット
１４  ボルト
【図１】
2013221390.tif 000003
【図２】
2013221390.tif 000004
【図３】
2013221390.tif 000005
【図４】
2013221390.tif 000006
【図５】
2013221390.tif 000007
(57)【要約】      （修正有）【課題】都市部及び環境問題の生ずる地域で、ゆるい砂質地盤又はシルト混り砂地盤の液状化の生ずる地盤を締固めて地震時の過剰間隙水を排水出来る構造とした工法である。更に所定間隔でフィルター付きストレーナーを同時施工し、自然排水出来る構造とした。【解決手段】筒状鉄管９の先端部から０，５ｍから３．０ｍ範囲長の複数本リブを取り付けて筒状鉄管の先端部には複数開きの蓋１１を取り付けた構造として、筒状鉄管先端内部にはピンポイント１０を内装した構造とし打設時に微振動を与え、少量ジェット水８を噴出しつつ所定深度まで筒状鉄管を挿入し、筒状鉄管を引抜く時は、筒状鉄管に粗骨材を投入しながら、ドレーン柱を形成する。尚フィルター付きストレーナーを−定間隔に設置する方法で更に安全性を強化する手段とした工法である。【選択図】図１
2013221388.tif 000002
【特許請求の範囲】
【請求項１】
砂質及びシルト混じり砂質地盤に於けるダイレタンシー特性を持つ地盤ではせん断に伴って間隙の体積は減少しようとする、地震力は地表近くでは鉛直下方から伝達してくるせん断波が卓越している間隙の水の体積が圧縮され、その圧力が上昇することにより地盤が液状化する。このメカニズムを考慮しダイレタンシー特性を持つ地盤を締固めつつ、間隙圧力水を常時自然排水出来るドレーンパイルを同時に設置出来る構造とした特許工法である。
【請求項２】
ダイレタンシーを持つ地盤を締固めつつドレーンパイルの形成する構造はドレーンを形成するため、筒状鉄管外周に複数枚の板状、くし状帯鉄のリブを備えた構造で、筒状鉄管を所定位置迄微振動を与えながら挿入し、筒状鉄管に粗骨材を投入し引き揚げ、ドレーンパイル形成と同時に地盤を締固めることが出来る装置特許工法である。
【請求項３】
筒状鉄管の外周には複数のリブとジェット水、エアーのパイプを取り付けた構造とし、筒状鉄管先端部には複数の弁蓋をピンジョイントで取り付け、挿入時の管内への土砂流入を防ぎ、筒状鉄管引き揚げ時、弁蓋が開き管内の投入粗骨材が落下出来る構造装置
【請求項４】
筒状鉄管下部先端内部にはピンポイントを取り付けた構造とし、起振機からの振動を上下衝撃に変化させ、先端に取り付けたリブを通じ周辺地盤を締固める事が出来る構造装置
【請求項５】
リブ、弁蓋、ピンポイントを備えた筒状鉄管内径は２０ｃｍから１００ｃｍの範囲として、管内径３０ｃｍ以下の場合複数本同時設置出来る構造装置
【発明の詳細な説明】
【技術分野】
【０００１】ゆるい砂質地盤及びシルト混り軟弱砂質地盤の地震時の液状化対策工法として開発した工法である。上記の対象地盤を改良するに当たり土質調査、試験結果又は周辺状況条件から各工法を選定することが必要であるが都市周辺に於いては特に環境諸条件制約の生ずる場合を考慮し開発した工法である。ゆるい砂質地盤は基本的に振動による締固めが必要であるが、周辺環境状況から大きい振動を与えることは出来ない又地盤条件からも不適合の場合があるので微振動による伝達方法が必要となる、対象地盤の改良に当たり深度方向に改良が深い場合、貫入抵抗が小さい方法が要求される。そこで本工法は微振動の起振機にて、筒状鉄管先端に考案したピンポイントを取りつけ振動を小さくし、筒状鉄管を引き揚げる時、筒状鉄管先端部に上下衝撃振動を生じさせ先端部からリブを通じ、地盤を締固め投入粗骨材も締固めつつ、ドレーン効果と締固めを同時に出来る構造の工法である。【０００２】筒状鉄管先端には複数枚開きの弁蓋を自由開閉できるピンジョイント構造として、上部はホッパーと起振機を取り付けた構造とする。筒状鉄管外周には筒状鉄管を対象地盤に挿入するためのパイプを複数本取り付け、エアー及びジェット水を圧力をかけ噴出させることにより、更に安易に対象地盤に挿入できる構造とする。【０００３】液状化対策工として多種工法はあるが工事費が安く、民家の建つ狭い道路または民家と民家の庭先等の場所的に施工機械が入れない処ても、本工法は施工可能である。
【背景技術】
【０００４】在来迄の液状化対策工法には次の工法があげられる。
１、固化工法各種  （固化剤による方法）
コラムジェット工法
ジェットスペシャルグラウト工法
ｃｃｐ  工法
２、締固め工法
１、バイブロロット工法
２、サンドコンパクションパイル工法
３、バイブロフローテイション工法
４、十字バイブロ工法
５、バイブロコンポウザー工法
グラベルドレーン工法
サンドパイル工法
等の技術背景があるが、土質条件、土質成層条件、周辺環境条件、施工対象エリア、施工機種、経済性等にて限定される。
【発明の開示】
【発明が解決しようとする課題】
【０００５】対策工法には多種あるが固化工法は経済的に大きく特殊基礎エリアの場合又は小さい面積の場合と限られてくる。液状化現象が生じる場合広い範囲の対策となるので一般的に制限される。
締固め工法、ドレーン工法だけの場合地盤強度５強度以上のとき計画時の地盤硬度に変化が生じ液状化現象が確認されている。これらの課題を解決する目的で、ドレーン効果と締固めが出来る方法を開発した。
【発明の実施形態】
【０００６】筒状鉄管上部にホッパーと起振機を取り付け、筒状鉄管外周には複数本のジェット水送付パイプを取付けた構造とし、エアー、ジェット水を微量噴出させつつ、微振動を与え乍ら、筒状鉄管を改良対象地盤深度迄挿入して粗骨材を投入し、ケーシングを引き揚げつつ、クロスドレーン締固めをセット完了する。
【０００７】クロスドレーン締固めエリアが広域の場合は２５から３６平方ｍ毎にフィルター付きストレーナーを筒状鉄管内に入れ、その外周にフィルター材を投入し強い地震時に生ずる過剰間隙水の除去する形態方式をとる、又締固めエリアが帯状に長いエリアの場合は帯状の両側にフィルター付きストレーナーを５ｍ毎設ける。
地震時の過剰間隙水はクロスドレーンパイルを通じ自然排水出来る構造として、尚且つフィルター付きストレーナーを設けることにより、更に確実性のある実施形態とした。
【発明の効果】
【０００８】道路改良及びアースダム基礎改良を計画、施工実施した後、震度５以上の強い地震に遭遇したが、安全性が確認できた。    本工法実施に近接するエリアの土質調査結果、施工前、施工後の同じ位置に於ける地盤成層硬度には変化がみられた。
【図面の簡単な説明】
【０００９】
【図１】機械装置断面図である
【図２】ピンポイント詳細図である
【符号の説明】
【００１０】  １．ピンポイント軸受
２．ピンポイント
３．ピンポイントホール
４．ピンポイントリーダー
５．ピンジョイント
６．弁蓋
７、起振機
８、エアー、ジェット水、送気、送水パイプ
９、筒状鉄管
１０、ピンポイント
１１  開閉弁蓋
【図１】
2013221388.tif 000003
【図２】
2013221388.tif 000004
(57)【要約】      （修正有）【課題】原子力発電所の爆発でばらまかれた放射性物質の除染を図ることのできる、放射性物質吸着剤を提供する。【解決手段】ゼオライト４０％、オーシカダインＴＵ−３４１３５％、布海苔もしくは銀杏藻の液体１５％、ブラックシリカ７．５％、ミョウバン２．５％の比率の材料をよく撹拌して、粘着性液状体に精製する。【選択図】なし【特許請求の範囲】
【請求項１】
ゼオライト（粉末体）                      ４０      ％
オーシカダインＴＵ−３４１（ゴムチップ）  ３５      ％
布海苔もしくは銀杏藻の液状体              １５      ％
ブラックシリカ（粉末体）                    ７．５  ％
ミョウバン（粉末体）                        ２．５  ％
以上の材料をよく撹拌して粘着性液状体を精製する。
【発明の詳細な説明】
【技術分野】
【０００１】  本発明は、放射能を除染する放射性物質吸着剤に関する。
【背景技術】
【０００２】  私たちの日常生活の中で、放射性物質を取り除くという機会にはめったに遭遇するものではない。しかし、２０１１年３月１１日に発生した東日本大震災に伴う、福島第一原子力発電所の津波被害により、爆発事故を起こし、我々の身近な場所から放射性物質を取り除く必要に迫られることになった。
【先行技術文献】
【特許文献】
【０００３】  特許文献を調査したが参考になるものは見当たらなかった。
【発明の概要】
【発明が解決しようとする課題】
【０００４】  東日本大震災による福島第一原子力発電所の爆発事故で、事故現場を中心に数十ｋｍ、数百ｋｍの範囲に放射性物質がばらまかれてしまった。放射性物質のなかには半減期が数十年というものも含まれている。放射性物質の身体への影響を考えると、この放射性物質をどのようにして除染していくか。という問題は、最も重要な課題である。従い、本発明では、放射性物質を吸着しやすい材質の素材のみを用いて、しかも、それらの材質同志の配合比率の調整を図ることにより、吸着率の精度を高めようとするものである。
【課題を解決するための手段】
【０００５】  上記目的を達成するために、本発明における放射性物質吸着剤は、次のような構成としている。
【請求項１】
ゼオライト                  ４０      ％
オーシカダインＴＵ−３４１  ３５      ％
布海苔もしくは銀杏藻の液体  １５      ％
ブラックシリカ                ７．５  ％
ミョウバン                    ２．５  ％
以上の材料をよく撹拌して、粘着性液状体に精製する。
【発明の効果】
【０００６】  本発明は上記のとおり構成されているので、次に記載する効果を奏する。
１．本放射性物質吸着剤を高圧吹付機器を用いて、除染したい箇所に薄く均一に吹き付けできる。
２．上記の吹き付け後、約１０時間経過以降に、前記、吹き付けた放射性物質吸着剤を剥がすと、乾燥時に放射性物質は、前記吸着剤に吸着されているので、放射性物質は、およそ９８．３％の確立で除染することができる。
３．放射性物質を吸着するのに、ゼオライト、オーシカダインＴＵ−３４１、布海苔もしくは銀杏藻の液状体、ブラックシリカ、ミョゥバンなどは、基本的に放射性物質を吸着しやすい素材で構成されているが、放射性物質の吸着率の向上を目処に、これら材料の配合率を調整することにより、より高い吸着率を得たものである。
４．本吸着剤を高圧吹付機器を用いて、除染したい箇所に吹き付け、一定時間経過後に、剥ぎ取るという極めて簡単な作業で９０％台もの確立で除染できる。
【図面の簡単な説明】
【０００７】    図面は、本発明が液状体なので省略する。
【発明を実施するための形態】
【０００８】  本発明は図面に現すことができないので、本発明を構成する材料について説明する。
ゼオライト（弗石）は、結晶中に数多くの空洞を持つ物質で、この特殊な構造及び構成成分により、さまざまな物質を結晶構造の中に取り入れたり、或いは又、その結晶内物質と結晶外物質とを交換しあうという性質を持っている。この性質があることによって、放射性物質も例外なく吸着する役割を果たしてくれる。
【０００９】  オーシカダインＴＵ−３４１は、無溶剤ポリウレタン系バインダー接着剤である。弾性、伸縮性に富み、付着性に優れ、放射性物質なども効率よく吸着力を発揮する物質である。
【００１０】  布海苔もしくは銀杏藻の液状体は、まず布海苔は、学名はマフノリで、漢字名は、布海苔。北太平洋沿岸各地で採れ、食用としてだけでなく、伝統的な糊として反物の仕上げや洗い張りに、或いは陶磁用絵具糊、漆喰（しっくい）の糊用として江戸時代から使われている。ぎんなん藻は、漢字名、銀杏藻。東北、北海道、千島が産地で、フノリと同様に反物の仕上げや洗い張り、壁材の漆喰の糊用に昔から使用されてきた。
【００１１】  ブラックシリカは、ブラックとは炭素（カーボン）であり、シリカ（珪酸）と統合されたものである。別名、黒鉛珪石と呼ばれている。ブラックシリカはもともと数億年にわたり海底に堆積した珪藻類が隆起したものと推測されるものである。多くのミネラルを含むもので、放射性物質の吸着力を有していると考えられるものである。
【００１２】  ミョウバン（明礬）は、人類の生活になくては無くてはならないものとして、大昔から人間が利用してきた鉱石である。
▲１▼  飲み水の浄化作用がある。水１ｌにつき、０．２〜０．５ｇで，８〜２０分間で飲料に適するようになる。
▲２▼  タンパク質の凝固作用があり、傷口や粘膜の炎症を押さえる作用がある。止血作用もある。
▲３▼  煤染剤として効果がある。染め物の色落ちを防ぐ。
▲４▼  漬物の色出しに効能がある。漬物に入れるとよい色になる。
▲５▼  皮なめし劑として有効。皮なめしに使用ると軟らかくなる。
▲６▼  製紙剤として有効。製紙時に入れると、文字の滲みが出なくなる。
▲７▼  文字の湿り出し、や、炙り出しができる。
【００１３】  本発明は、次のように構成されている。
ゼオライト                  ４０      ％
オーシカダインＴＵ−３４１  ３５      ％
布海苔もしくは銀杏藻の液体  １５      ％
ブラックシリカ                ７．５  ％
ミョウバン                    ２．５  ％
以上の材料をよく撹拌して、粘着性液状体に精製する。
【００１４】  本発明の効果を確かめるために、一般財団法人日本塗料検査協会西支部に、本発明の資料を提供し、試験をしてもらった。本発明の評価をするのに、参考資料として、その試験結果報告書を添付する。
【産業上の利用可能性】
【００１５】  本発明は、放射性物質を吸着する材料の組み合わせ、構成されているが、今後の研究により、他に、放射性物質を吸着力のある材料が見つかり次第、本発明に加えて再構成を図ることは十分に考えられる。また、材料廃合比の調整により、汚染物質の吸着確立を向上さることも十二分に考えられる。
【符号の説明】
【００１４】  符号の説明は省略する。
(57)【要約】【課題】対向並進翼風車の翼軌道の工夫により風車出力を向上させる方法に関する。対向並進翼風車の翼にあたる風速を高めることにより風車出力を高める方法を案出する。対向並進翼風車は翼が並進運動しながら無縁軌道運動を行う。従来の並進翼風車は風の方向に対し垂直方向に翼を移動させている。【解決手段】風車の出力は、風の絶対速度ではなく、風と風車の翼の運動速度との合速度により決まる。従って、この合速度を高くすることにより風車出力を高めることができる。【選択図】図１
2013221448.tif 000002
【特許請求の範囲】
【請求項１】
複数本の平行軸に平行に配置され駆動索で結合された複数枚の直線矩形翼（ブレード）が平行軸間を並進運動し、軸周りに回転運動して方向転換し、ブレードが水流や風のような媒体の流れ方向と角度を持つことによりブレードが発生する力で全平行軸周りにブレードが無限軌道運動を行う装置において、軸ごとで回転径が異なることにより、ブレード並進方向が媒体の流れ方向と直角ではない角度を有することを特徴とする装置。
【発明の詳細な説明】
【技術分野】
【０００１】
本発明は、対向並進翼風車の翼軌道の工夫により風車出力を向上させる方法に関するものである。
【背景技術】
【０００２】
対向並進翼風車は翼が並進運動しながら無縁軌道運動を行う。従来の並進翼風車は風の方向に対し垂直方向に翼を移動させている。
【０００３】
風車の出力向上には、翼にあたる風の速さを高くすることが有効である。
【０００４】
翼にあたる風の速さを高くする方法として、風に向かって進めば翼にあたる相対速度は２倍になる。風向に対し角度（θ）を持って進めば翼にあたる風の相対速度は１＋cos(θ)倍になる。
【先行技術文献】
【特許文献】
【０００５】
【特許文献１】特許３７４９９４２号公報
【特許文献２】特許４４１１８２１号公報
【発明の概要】
【発明が解決しようとする課題】
【０００６】
解決しようとする問題点は、対向並進翼風車の翼にあたる風速を高めることにより風車出力を高める方法の案出である。
【課題を解決するための手段】
【０００７】
風車の出力は、風の絶対速度ではなく、風と風車の翼の運動速度との合速度により決まる。従って、この合速度を高くすることにより風車出力を高めることができる。ただし、前の翼の後流に後の翼が入るようなθは適切ではない。
【発明の効果】
【０００８】
本発明は上記特許文献に示される装置構造を大きく変えることなく風車の性能を高めることができる。また、水車にも適用可能である。本装置にモーター等の駆動源を取り付けることにより送風機やポンプとすることができる。
【図面の簡単な説明】
【０００９】
【図１】図１は本発明の対向並進翼風車の基本構造である。
【図２】図２は従来の対向並進翼風車の基本構造である。
【図３】本考案を複数台使用する場合の配置例である。
【発明を実施するための形態】
【００１０】
異なる径のスプロケットを用いて、風の方向と翼の並進運動方向に角度をもたせることにより翼の風に対する相対運動速度を増す。
【実施例１】
【００１１】
図１は、本考案の１実施例の図であって、径の異なるスプロケット３，４に翼１を連結するチェーン等の結合索２を懸架することにより翼の運動方向と風向とのなす角度を任意に設定できる。ただし、回転方向は、図１の場合、風上側の翼は図１の下側から上の方向に動く必要がある。逆回転の場合は相対速度が減少することになる。
【００１２】
図２は上記特許文献等の従来の対向並進翼風車の基本構造であり、スプロケットは全て同じ径のものが使用されている。このまま風と直角以外の角度で設置すると、風上側翼と風下側翼はそれぞれ相対速度は増・減相反することになる。
【００１３】
図３は本考案を複数台縦列に並べることにより全体出力を高める例である。
【符号の説明】
【００１４】
１    風車の翼
２    翼を連結するチェーン等の結合索
３    大径スプロケット
４    小径スプロケット
【図１】
2013221448.tif 000003
【図２】
2013221448.tif 000004
【図３】
2013221448.tif 000005
(57)【要約】【課題】  トラップ自体の表面温度を測定することのできる構造が簡単で安価な熱応動式スチームトラップを得ること。【解決手段】  熱応動式スチームトラップの外表面に取り付けるネームプレート１の表面にサーモラベル２を貼り付ける。サーモラベル２は、内蔵した示温部３，４，５が、ネームプレート１の温度に応じて例えば青色から赤色へと順次に変色することによって、ネームプレート１部の温度が、例えば２０℃程度の常温状態であるのか、あるいは１００℃程度の高温状態であるのかを表示するものである。  サーモラベル２の示温状態を点検員が目視で確認することによって、トラップの外表面が高いのか低いのかをその場で瞬時に判断することができ、点検員がトラップに触れて火傷することを防止することができる。【選択図】図１
2013064434.tif 000002
【特許請求の範囲】
【請求項１】
蒸気と復水で加熱冷却され、その温度に応じて膨脹収縮する媒体を含む温度制御機素を用いて、所定温度以下の復水を系外へ排出するトラップにおいて、トラップの外表面に取り付けるネームプレートの表面に、周囲の温度変化に応じて表示を自動的に変更するサーモラベルを貼り付けたことを特徴とする熱応動式スチームトラップ。
【発明の詳細な説明】
【技術分野】
【０００１】
本発明は、各種蒸気使用機器や蒸気配管で発生する復水を自動的に排出するスチームトラップに関し、特に、蒸気と復水で加熱冷却されその温度に応じて膨脹収縮する媒体を含む温度制御機素を用いて、所定温度以下の復水を系外へ排出する熱応動式スチームトラップに関する。
【背景技術】
【０００２】
従来の熱応動式スチームトラップは、例えば特許文献１に開示されている。これは、熱応動式スチームトラップの入口側に温度計を取り付けたもので、設定温度の変動に応じて簡単に温度調節することができるものである。
【先行技術文献】
【特許文献】
【０００３】
【特許文献１】特開昭５１−１２８７２７号公報
【発明の概要】
【発明が解決しようとする課題】
【０００４】
上記従来の熱応動式スチームトラップは、スチームトラップの本体に温度計を取り付けなければならず、スチームトラップの構造が複雑となり、また、トラップのコストも高くなってしまう問題点があった。
【０００５】
従って、本発明が解決しようとする課題は、トラップ自体の表面温度を測定することのできる構造が簡単で安価な熱応動式スチームトラップを得ることである。
【課題を解決するための手段】
【０００６】
本発明は、蒸気と復水で加熱冷却され、その温度に応じて膨脹収縮する媒体を含む温度制御機素を用いて、所定温度以下の復水を系外へ排出するトラップにおいて、トラップの外表面に取り付けるネームプレートの表面に、周囲の温度変化に応じて表示を自動的に変更するサーモラベルを貼り付けたものである。
【発明の効果】
【０００７】
本発明によれば、ネームプレートの表面にサーモラベルを貼り付けたものであるので、構造が簡単で安価に、トラップ自体の表面温度を測定することができる。
【図面の簡単な説明】
【０００８】
【図１】本発明の実施の形態に係わる熱応動式スチームトラップの断面図である。
【発明を実施するための形態】
【０００９】
以下、本発明の実施の形態について、図１を参照して説明する。図１は、熱応動式スチームトラップの外表面に取り付けるネームプレート１を示しており、このネームプレート１の表面にサーモラベル２を貼り付ける。サーモラベル２は、内蔵した示温部３，４，５が、ネームプレート１の温度に応じて例えば青色から赤色へと順次に変色することによって、ネームプレート１部の温度が、例えば２０℃程度の常温状態であるのか、あるいは１００℃程度の高温状態であるのかを表示するものである。
【００１０】
このネームプレート１を取り付けた熱応動式スチームトラップの作動状態を、点検員が点検する場合に、サーモラベル２の示温状態を目視で確認することによって、トラップの外表面が高いのか低いのかをその場で瞬時に判断することができ、点検員がトラップに触れて火傷することを防止することができる。
【産業上の利用可能性】
【００１１】
本発明は、膨脹媒体を含む温度制御機素を用いて各種蒸気使用機器や蒸気配管で発生する所定温度以下の復水を系外へ排出する熱応動式スチームトラップに利用することができる。
【符号の説明】
【００１２】
１  ネームプレート
２  サーモラベル
３，４，５  示温部
【図１】
2013064434.tif 000003